(57)【要約】【課題】貯液槽のスロッシング対策機構であって、電力や人力を期待できない地震発生時であっても機能するスロッシング対策機構を提供する。さらに、地震発生時など想定を超えたスロッシングに対応可能なスロッシング対策機構を提供する。【解決手段】貯液槽１のスロッシング対策装置３は、液体が貯留された貯液槽の内周壁６から一対の板面が上下方向を向くように突出する板状をなすとともに、互いの高さ位置が異なるように配置された複数の抑制板１０を備える。【選択図】図１
2017047957.tif 000002
【特許請求の範囲】
【請求項１】
液体が貯留された貯液槽の内周壁から一対の板面が上下方向を向くように突出する板状をなすとともに、互いの高さ位置が異なるように配置された複数の抑制板
を備えるスロッシング対策装置。
【請求項２】
請求項１に記載のスロッシング対策装置において、
前記複数の抑制板が、前記上下方向に間隔を有し、重なるように並べられたスロッシング対策装置。
【請求項３】
請求項１又は２に記載のスロッシング対策装置において、
前記複数の抑制板が、前記上下方向に異なる間隔で並べられたスロッシング対策装置。
【請求項４】
請求項１から３のいずれか一項に記載のスロッシング対策装置において、
前記複数の抑制板が、上に向かうに従って突出方向の長さである突出長さが長くなるように構成されたスロッシング対策装置。
【請求項５】
請求項１から４のいずれか一項に記載のスロッシング対策装置において、
前記複数の抑制板のうち、少なくとも一の抑制板が、他の抑制板に対し、前記内周壁の壁面内水平方向にずれるように配置されたスロッシング対策装置。
【請求項６】
請求項１から５のいずれか一項に記載のスロッシング対策装置において、
前記複数の抑制板を、前記内周壁の全周について隙間なく並べて配置したスロッシング対策装置。
【請求項７】
請求項１から６のいずれか一項に記載のスロッシング対策装置において、
複数の抑制ブロックを備え、
前記複数の抑制ブロックは、それぞれ前記上下方向に間隔を有する前記複数の抑制板を備え、
前記抑制ブロックにおいて、前記上下方向に間隔を有した複数の抑制板は、前記内周壁の壁面内水平方向の長さである突出幅が等しく、
前記抑制ブロックにおいて、前記上下方向に間隔を有した複数の抑制板は、前記壁面内水平方向の位置が等しくなるように並べられた
スロッシング対策装置。
【請求項８】
請求項７に記載のスロッシング対策装置において、
前記抑制ブロックは、一対の板面を有する仕切り板を備え、
前記仕切り板の一対の板面は、前記壁面内水平方向に直交するように設けられた
スロッシング対策装置。
【請求項９】
請求項７又は８に記載のスロッシング対策装置において、
前記抑制ブロックの中央高さが、前記液体の液面となるように前記抑制ブロックを配置したスロッシング対策装置。
【請求項１０】
液体が貯留された貯液槽の内周壁に設けられた防波ブロックと、
前記防波ブロックを、上下方向に移動自在にガイドするスライド機構と
を備えるスロッシング対策装置において、
前記防波ブロックは、自重よりも浮力が大きくなる部材で構成されたスロッシング対策装置。
【請求項１１】
請求項１０に記載のスロッシング対策装置において、
前記防波ブロックを、前記貯液槽の上下方向に平行な内周壁に設けたスロッシング対策装置。
【請求項１２】
請求項１０に記載のスロッシング対策装置において、
前記防波ブロックを、前記貯液槽の下向きに傾斜した内周壁に設けたスロッシング対策装置。
【請求項１３】
請求項１０から１２のいずれか一項に記載のスロッシング対策装置において、
前記防波ブロックは、内部にリブを有し、
前記リブによって、前記防波ブロック内に区画された空洞を形成したスロッシング対策装置。
【請求項１４】
請求項１０から１３のいずれか一項に記載のスロッシング対策装置において、
前記防波ブロックの壁面に孔を設けたスロッシング対策装置。
【請求項１５】
請求項１０から１４いずれか一項に記載のスロッシング対策装置において、
前記防波ブロックを複数設け、
隣り合う前記防波ブロックを連結したスロッシング対策装置。
【請求項１６】
請求項１０から１５のいずれか一項に記載のスロッシング対策装置において、
複数の前記内周壁に対して、それぞれ１枚の前記防波ブロックを設けたスロッシング対策装置。
【請求項１７】
請求項１０から１６いずれか一項に記載のスロッシング対策装置において、
前記防波ブロックを、前記内周壁の全周について隙間なく並べて配置したスロッシング対策装置。
【請求項１８】
液体が貯留された貯液槽の縁に起立するスロッシング防止板と、
前記スロッシング防止板の下辺を軸に回動支持するとともに、前記軸の回動によって、前記スロッシング防止板の一対の板面が上下方向を向くように前記貯液槽内の液面へ倒れることを許容する回動支持部と、
前記軸に前記スロッシング防止板の貯液槽への倒れを引き戻す回転モーメントを与えるとともに、スロッシングが発生したときに前記スロッシング防止板が前記液面に倒れることを許容するばね機構と
を有するスロッシング対策装置。
【請求項１９】
請求項１８に記載のスロッシング対策装置において、
前記スロッシング防止板の前記倒れの逆方向への倒れを制限する第一ストッパ機構
を備えるスロッシング対策装置。
【請求項２０】
請求項１８又は１９に記載のスロッシング対策装置において、
前記スロッシング防止板の一対の板面が上下方向を向いた位置で回動を制限する第二ストッパ機構
を備えるスロッシング対策装置。
【請求項２１】
請求項１８から２０いずれか一項に記載のスロッシング対策装置において、
前記スロッシング防止板は、自重よりも浮力が大きくなる部材で構成されているスロッシング対策装置。
【請求項２２】
液体が貯留された貯液槽の液面に、一対の板面が上下方向を向くように設けた抑制板と、
一端が前記抑制板に固定され、前記抑制板の板面に対し交差する腕部と、
前記腕部の他端を前記貯液槽内で支持し、前記腕部の他端を少なくとも水平面に交差する面内で回動可能に支持する回動支持部とを備え
前記抑制板、前記腕部及び前記回動支持部は、倒立振り子を形成する
スロッシング対策装置。
【請求項２３】
請求項２２に記載のスロッシング対策装置において、
前記抑制板を前記貯液槽の壁面の内周に設け、
前記回動支持部は、前記腕部の他端を、前記壁面の面内水平方向に交差する面内で回動可能に支持するスロッシング対策装置。
【請求項２４】
請求項２２又は２３に記載のスロッシング対策装置において、
前記抑制板は、自重よりも浮力が大きくなる部材で構成されている
スロッシング対策装置。
【請求項２５】
請求項２２から２４いずれか一項に記載のスロッシング対策装置において、
前記回動支持部における回動に対して、逆方向の復元力を与える弾性部材又は弾性機構を有する
スロッシング対策装置。
【請求項２６】
請求項２２から２５いずれか一項に記載のスロッシング対策装置において、
前記抑制板は、前記貯液槽の全周に複数設けられたスロッシング対策装置。
【請求項２７】
請求項１から２６のいずれか一項に記載のスロッシング対策装置を設けた前記貯液槽であって、前記貯液槽が燃料プールである貯液槽。
【発明の詳細な説明】
【技術分野】
【０００１】
本発明は、スロッシング対策装置及び貯液槽に関する。
【背景技術】
【０００２】
原子炉関連施設では、使用済み燃料が保管されている。使用済み燃料は、一般に、原子炉建屋内などに配置された使用済み燃料プールの燃料プール水中に保管される。
【０００３】
地震発生時には、使用済み燃料プールにおいてスロッシングが発生することにより、放射性物質を含む燃料プール水が、使用済み燃料プール内部から外部へ漏水することがある。
【０００４】
従来は、スロッシング対策として、使用済み燃料プールの縁部に、起立壁及び収納された移動壁で構成した漏水防止用の治具を設けている。そして、使用済み燃料プール内の燃料プールの水面が、通常時の水面レベルよりも高くなる時だけ、移動壁を上昇させることによってスロッシング時の水面レベルに対応させて、スロッシングによる漏水を防止している（特許文献１参照）。
【先行技術文献】
【特許文献】
【０００５】
【特許文献１】特許第４５１９７１４号公報
【発明の概要】
【発明が解決しようとする課題】
【０００６】
しかしながら、特許文献１のスロッシング対策では、移動壁を上昇させる必要があるため、移動壁を上昇させるための動力が必要である。そのため、人力や電力等といった外力が必要となり、電力や人力を期待できない地震発生時には機能しない。
【０００７】
また、特許文献１のスロッシング対策では、スロッシングが想定を超えた場合には、波の上限が、移動壁の上限を超えることがある。そのため、スロッシングによって発生した波を防止できず、水が燃料プールの外へ溢れ出してしまうおそれがある。
【０００８】
本発明はこのような事情を考慮してなされたもので、電力や人力を期待できない地震発生時であっても機能するスロッシング対策機構を提供することを目的とする。
【０００９】
さらに、本発明は地震発生時など想定を超えたスロッシングに対応可能なスロッシング対策機構を提供することをさらなる目的とする。
【課題を解決するための手段】
【００１０】
第１の態様のスロッシング対策装置は、液体が貯留された貯液槽の内周壁から一対の板面が上下方向を向くように突出する板状をなすとともに、互いの高さ位置が異なるように配置された複数の抑制板を備えている。
【００１１】
本様態では、内周壁に向かって、上下方向の振幅を有し押し寄せる波に対して、各抑制板が高さ毎に波を崩すので、スロッシングを抑制できる。
【００１２】
また、第２の態様のスロッシング対策装置は、第１の態様のスロッシング対策装置において、前記複数の抑制板が、前記上下方向に間隔を有し、重なるように並べられている。
【００１３】
本様態では、内周壁に向かって、上下方向の振幅を有し押し寄せる波に対して、各抑制板が、高さ毎に重なる位置の波を崩すので、スロッシングをさらに抑制する。
【００１４】
また、第３の態様のスロッシング対策装置は、第１又は第２の態様のスロッシング対策装置において、前記複数の抑制板が、前記上下方向に異なる間隔で並べられている。
【００１５】
本様態では、内周壁に向かって、上下方向の振幅を有し押し寄せる様々な波に対して、いずれかの間隔が有効に機能するため、より万能にスロッシングを抑制する。
【００１６】
また、第４の態様のスロッシング対策装置は、第１から第３の態様いずれかのスロッシング対策装置において、前記複数の抑制板が、上に向かうに従って突出方向の長さである突出長さが長くなるように構成されている。
【００１７】
本様態では、内周壁に向かって、上下方向の振幅を有し上に向かって押し寄せる波に対して、突出長さの短い抑制板から突出長さの長い抑制板に向かって順に波を崩すので、スロッシングによる水面の上昇を抑制できる。
【００１８】
また、第５の態様のスロッシング対策装置は、第１から第４の態様のいずれかのスロッシング対策装置において、前記複数の抑制板のうち、少なくとも一の抑制板が、他の抑制板に対し、前記内周壁の壁面内水平方向にずれるように配置される。
【００１９】
本態様では、内周壁に向かって、そろって押し寄せる波に対して、複数の抑制板が部分的に順に波を崩すので、効率よくスロッシングを抑制できる。
【００２０】
また、第６の態様のスロッシング対策装置は、第１から第５の態様のいずれかのスロッシング対策装置において、前記複数の抑制板を、前記内周壁の全周について隙間なく並べて配置する。
【００２１】
本態様では、内周壁に向かって押し寄せる波に対して、壁面の全周について隙間なく波を崩すので、貯液槽外へ液が漏れないようにスロッシングを抑制できる。
【００２２】
また、第７の態様のスロッシング対策装置は、第１から第６の様態のいずれかのスロッシング対策装置において、複数の抑制ブロックを備え、前記複数の抑制ブロックは、それぞれ前記上下方向に間隔を有する前記複数の抑制板を備え、前記抑制ブロックにおいて、前記上下方向に間隔を有した複数の抑制板は、前記内周壁の壁面内水平方向の長さである突出幅が等しく、前記抑制ブロックにおいて、前記上下方向に間隔を有した複数の抑制板は、前記壁面内水平方向の位置が等しくなるように並べられる。
【００２３】
本態様では、内周壁に向かって押し寄せる波に対して、各ブロックが、高さ毎に波を崩すので、必要な各場所で効率よくスロッシングを抑制する。
【００２４】
また、第８の態様のスロッシング対策装置は、第７の態様に記載のスロッシング対策装置において、前記抑制ブロックは、一対の板面を有する仕切り板を備え、前記仕切り板の一対の板面は、前記壁面内水平方向に直交するように設けられる。
【００２５】
本態様では、抑制ブロックが、壁面内水平方向に直交する板面を有する仕切り板を備えることによって、複数の抑制板と衝突し、前記壁面内水平方向に回折した波をさらに崩すので、さらに効果的にスロッシングを抑制できる。
【００２６】
また、第９の態様のスロッシング対策装置は、第７又は第８の様態のスロッシング対策装置において、前記抑制ブロックの中央高さが、前記液体の液面となるように前記抑制ブロックを配置する。
【００２７】
本態様では、内周壁に向かって押し寄せる波に対して、波の中心から上下にわたって抑制板が配置されて波と衝突するので、波に対して抑制板が有効に作用し、スロッシングを抑制できる。
【００２８】
また、第１０の態様のスロッシング対策装置は、液体が貯留された貯液槽の内周壁に設けられた防波ブロックと、前記防波ブロックを、上下方向に移動自在にガイドするスライド機構とを備えるスロッシング対策装置において、前記防波ブロックは、自重よりも浮力が大きくなる部材で構成する。
【００２９】
本態様では、上下方向の振幅を有し、押し寄せる波に対して、防波ブロックが浮上して波を押し返すので、スロッシングによる外部への漏水を防止する。
【００３０】
また、第１１の態様のスロッシング対策装置は、第１０の態様のスロッシング対策装置において、前記防波ブロックを、前記貯液槽の上下方向に平行な内周壁に設ける。
【００３１】
本態様では、上下方向の振幅を有し、押し寄せる波に対して、上下方向に防波ブロックが浮上して波を押し返すので、スロッシングによる外部への漏水を効果的に防止する。
【００３２】
また、第１２の態様のスロッシング対策装置は、第１０の態様のスロッシング対策装置において、前記防波ブロックを、前記貯液槽の下向きに傾斜した内周壁に設ける。
【００３３】
本態様では、内周壁に向かって押し寄せる波に対して、防波ブロックが下向きに傾斜し、上昇しつつ貯水槽内へ飛び出すことによって波を崩しつつ押し返すため、スロッシングを抑制しつつ漏水を防止する。
【００３４】
また、第１３の態様のスロッシング対策装置は、第１０から第１２の様態のいずれかのスロッシング対策装置において、前記防波ブロックは、内部にリブを有し、前記リブによって、前記防波ブロック内に区画された空洞を形成する。
【００３５】
本態様では、強度が高く、軽い防波ブロックを構成できるので、押し返すのに高性能な防波ブロックを形成することができる。
【００３６】
また、第１４の態様のスロッシング対策装置は、第１０から第１３の様態のいずれかのスロッシング対策装置において、前記防波ブロックの壁面に孔を設ける。
【００３７】
本態様では、孔で波を吸収できるので、波を押し返しつつ波を崩すことができる。
【００３８】
また、第１５の態様のスロッシング対策装置は、第１０から第１４の様態のいずれかのスロッシング対策装置において、前記防波ブロックを複数設け、隣り合う前記防波ブロックを連結する。
【００３９】
本態様では、隣り合う防波ブロックを連結することによって、複数の防波ブロックの間や脇からの漏れを防ぐことができる。
【００４０】
また、第１６の態様のスロッシング対策装置は、第１０から第１５の様態のいずれかのスロッシング対策装置において、複数の前記内周壁に対して、それぞれ１枚の前記防波ブロックを設ける。
【００４１】
本態様では、防波ブロックを加工しやすい形状としながら、漏れるおそれのある隙間を極力少なくすることができる。
【００４２】
また、第１７の態様のスロッシング対策装置は、第１０から第１６の様態のいずれかのスロッシング対策装置において、前記防波ブロックを、前記内周壁の全周について隙間なく並べる。
【００４３】
本態様では、施工上便利な構造でありながら、隙間からの漏れを防ぐことができる。
【００４４】
また、第１８の態様のスロッシング対策装置は、液体が貯留された貯液槽の縁に起立するスロッシング防止板と、前記スロッシング防止板の下辺を軸に回動支持するとともに、前記軸の回動によって、前記スロッシング防止板の一対の板面が上下方向を向くように貯液槽内液面へ倒れることを許容する回動支持部と、前記軸に前記スロッシング防止板の貯液槽への倒れを引き戻す回転モーメントを与えるとともに、スロッシングが発生したときに前記スロッシング防止板が液面に倒れることを許容するばね機構とを有する。
【００４５】
本態様では、スロッシングが発生したときにスロッシング防止板が液面に倒れるため、スロッシング防止板は、普段は貯液槽での作業を妨げず、スロッシングが発生したときだけ蓋として機能し、スロッシングを抑制する。
【００４６】
また、第１９の態様のスロッシング対策装置は、第１８の様態のいずれかのスロッシング対策装置において、前記スロッシング防止板の前記倒れの逆方向への倒れを制限する第一ストッパ機構を有する。
【００４７】
本態様では、第一ストッパ機構によって、引き戻し回転モーメントが強くても、スロッシング防止板が逆方向へ倒れることを制限する。また、小さな揺れでスロッシング防止板が液面側へ倒れないようにプリテンションをかけることができる。
【００４８】
また、第２０の態様のスロッシング対策装置は、第１８又は第１９の態様のスロッシング対策装置において、前記スロッシング防止板の一対の板面が上下方向を向いた位置で回動を制限する第二ストッパ機構を備える。
【００４９】
本態様では、第二ストッパ機構が、スロッシング防止板の一対の板面が上下方向を向いた状態で回動が止まるように回動を制限するから、上下方向の振幅を有する波に対して、抑制板が有効に波を崩しつつ蓋として機能し、効率よくスロッシングを抑制する。
【００５０】
また、第２１の態様のスロッシング対策装置は、第１８から第２０の様態のスロッシング対策装置において、前記スロッシング防止板は、自重よりも浮力が大きくなる部材で構成されている。
【００５１】
本態様では、スロッシング防止板の一対の板面が上下方向を向いた状態で浮力が働いて回動が止まるから、上下方向の振幅を有する波に対して、抑制板が有効に波を崩しつつ蓋として機能し、効率よくスロッシングを抑制する。
【００５２】
また、第２２の態様のスロッシング対策装置は、液体が貯留された貯液槽の液面に、一対の板面が上下方向を向くように設けた抑制板と、一端が前記抑制板に固定され、前記抑制板の板面に対し交差する腕部と、前記腕部の他端を前記貯液槽内で支持し、前記腕部の他端を少なくとも水平面に交差する面内で回動可能に支持する回動支持部とを備え前記抑制板、前記腕部及び前記回動支持部は、倒立振り子を形成する。
【００５３】
本態様では、液体貯留時において、水面に作用する倒立振り子を形成して、倒立振り子先端の抑制板によって水面の波を崩すので、スロッシングを抑制することができる。
【００５４】
また、第２３の態様のスロッシング対策装置は、第２２の態様のスロッシング対策装置において、前記抑制板を前記貯液槽の壁面の内周に設け、前記回動支持部は、前記腕部の他端を、前記壁面の面内水平方向に交差する面内で回動可能に支持する。
【００５５】
本態様では、壁面に押し寄せる波をより効率的に崩すので、スロッシングを抑制することができる。
【００５６】
また、第２４の態様のスロッシング対策装置は、第２２又は第２３の態様のスロッシング対策装置において、前記抑制板は、自重よりも浮力が大きくなる部材で構成されている。
【００５７】
本態様では、回転剛性の機構を用いずに倒立振り子を構成することができる。
【００５８】
また、第２５の態様のスロッシング対策装置は、第２２から第２４の態様のスロッシング対策装置において、前記回動支持部における回動に対して、逆方向の復元力を与える弾性部材又は弾性機構を有する。
【００５９】
本態様では、弾性部材又は弾性機構で倒立振り子を構成するから、弾性部材又は弾性機構の復元力を調整することで、倒立振り子の固有振動数を調整できる。
【００６０】
また、第２６の態様のスロッシング対策装置は、第２２から第２５の様態のいずれかのスロッシング対策装置において、前記抑制板は、貯液槽の全周に複数設けられる。
【００６１】
本態様では、抑制板は、貯液槽の全周に複数設けるから、抑制板によって貯液槽における作業が妨げられることなく、全周でもれなくスロッシングの成長を抑制することができる。
【００６２】
また、第２７の態様の貯液槽は、第１から第２６の様態のいずれかのスロッシング対策装置を設けた前記貯液槽であって、前記貯液槽が燃料プールである。
【００６３】
本態様では、燃料プールのスロッシングの成長を抑制し、燃料プールの水の漏れを防止することができる。
【発明の効果】
【００６４】
本発明のスロッシング対策装置によれば、電力や人力を期待できない地震発生時において機能することができる。
【００６５】
また本発明のスロッシング対策装置によれば、地震発生時など想定を超えたスロッシングに対応することができる。
【図面の簡単な説明】
【００６６】
【図１】本発明に係る第一実施形態におけるスロッシング対策装置を燃料プールに配置した図である。
【図２】本発明に係る第一実施形態におけるスロッシング対策装置を示す図である。
【図３】本発明に係る第一実施形態における抑制ブロックを示す図である。
【図４】本発明に係る第一実施形態における抑制ブロックの配置を示す図である。
【図５】本発明に係る第一実施形態における抑制板の設置有効範囲を示す図である。
【図６】本発明に係る第二実施形態におけるスロッシング対策装置を燃料プールに配置した図である。
【図７】本発明に係る第二実施形態におけるスロッシング対策装置を示す図である。
【図８】本発明に係る第二実施形態におけるリブ構造を示す図である。
【図９】本発明に係る第二実施形態の変形例における多孔質構造を示す図である。
【図１０】本発明に係る第二実施形態におけるスロッシング対策装置を示す図である。
【図１１】本発明に係る第二実施形態におけるスロッシング対策装置を示す図である。
【図１２】本発明に係る第二実施形態における防波ブロックの配置を示す図である。
【図１３】本発明に係る第二実施形態におけるスロッシング対策装置の変形例を示す図である。
【図１４】本発明に係る第二実施形態におけるスロッシング対策装置の変形例を示す図である。
【図１５】本発明に係る第三実施形態におけるスロッシング対策装置を燃料プールに配置した図である。
【図１６】本発明に係る第三実施形態におけるスロッシング対策装置の変形例を示す図である。
【図１７】本発明に係る第三実施形態におけるスロッシング対策装置の特性を示すグラフである。
【図１８】本発明に係る第三実施形態におけるスロッシング対策装置の特性を示す図である。
【図１９】本発明に係る第四実施形態におけるスロッシング対策装置を示す図である。
【図２０】本発明に係る第四実施形態におけるスロッシング対策装置を示す図である。
【図２１】本発明に係る第四実施形態におけるスロッシング対策装置の変形例を示す図である。
【図２２】本発明に係る第四実施形態におけるスロッシング対策装置の特性を示すグラフである。
【発明を実施するための形態】
【００６７】
以下、本発明に係る各種実施形態について、図面を用いて説明する。
【００６８】
「第一実施形態」
本発明に係るスロッシング対策装置及びこれを備える貯液槽の第一実施形態について、図１〜図５を参照して説明する。
【００６９】
本実施形態の貯液槽１は燃料プール２である。図１に示すように、燃料プール２は、スロッシング対策装置３を備えている。燃料プール２内には、水４が貯留されており、図２に示すような、使用済み燃料が収容された燃料ラック５が水中で貯蔵されている。
【００７０】
スロッシング対策装置３は、燃料プール２の内周壁６の壁面７に設けられている。図１では、スロッシング対策装置３を、燃料プール２の縁にフック８で後付施工によって取り付けているが、スロッシング対策装置３を壁面７に取り付けることができるなら、どのような機構で取り付けてもよい。また、後付施工ではなく、壁面７施工時にスロッシング対策装置３を壁面７に作りこんでもよい。
【００７１】
本実施形態のスロッシング対策装置３は、図３（ａ）及び（ｂ）及び図４に示すように、抑制ブロック９が設けられている。抑制ブロック９には、上下に間隔を有し突出する複数の抑制板１０が設けられている。複数の抑制板１０は、重なるように並べられている。複数の抑制板１０の一対の板面が上下方向を向くように、燃料プール２の内周壁６に抑制ブロック９を設置される。
【００７２】
図３（ａ）及び（ｂ）に示すように、抑制ブロック９の各抑制板１０は、上下方向に等間隔で並べられているが、上下方向に異なる間隔で並べられてもよい。異なる間隔とは、複数の抑制板１０が形成する間隔のうち、すべての間隔が異なる場合はもちろん、一部の間隔だけが他の間隔とが異なる場合も含むものとする。上下方向に異なる間隔とすれば、内周壁６に向かう波のうち、上下方向の振幅や波長が異なる波に対して、いずれかの間隔が有効に機能するため、より万能にスロッシングを抑制できる。
【００７３】
さらに、抑制ブロック９の各抑制板１０は、抑制板１０の突出方向の長さである突出長さが図３（ａ）に示すように等しくてもよいし、異なるものであってもよい。特に、図３（ｂ）に示すように、上に向かうに従って突出長さが長くなるように構成すれば、水位の上昇を突出長さの短い抑制板から突出長さの長い抑制板に向かって順に崩すので、スロッシングによる水位の上昇を有効に抑制できる。
【００７４】
さらに、図３（ａ）、（ｂ）及び図４に示すように、抑制ブロック９の各抑制板１０は、壁面７の面内水平方向の長さである突出幅が等しく、壁面７の面内水平方向の位置が等しくなるように並べられた構成となっている。この突出幅の両側に形成される抑制ブロック９の側面には、図４で示すように、仕切り板１１が設けられてもよい。仕切り板１１を設けることによって、抑制ブロック９は、各抑制板１０に波が衝突したときに発生する、壁面７の面内水平方向と交差する方向に進む回折波を、仕切り板１１でさらに崩すので、効果的にスロッシングを抑制することができる。図４では、仕切り板１１が、壁面７の面内水平方向に直交するように設けられているが、仕切り板１１は、壁面７の面内水平方向と交差するものであれば、どのように設けられてもよい。本実施形態では抑制板１０の突出幅の両側に仕切り板１１が設けられているが、変形例として、抑制板１０の突出幅の間に仕切り板１１を設けてもよい。
【００７５】
複数の仕切り板１１を水平方向に並べる場合、水平方向の間隔は、異なる間隔で並べてもよいし、同じ間隔で並べてもよい。同じ間隔で並べれば、特定の振幅や波長の波に重点的に複数の仕切り板１１を作用させることでき、異なる間隔で並べれば、様々な振幅や波長の波に対して、いずれかの間隔の複数の仕切り板１１を有効に作用させることができる。
【００７６】
図２及び図４に示すように、スロッシング対策装置３は、複数の抑制ブロック９を備える。複数の抑制ブロック９は、内周壁６の全周で隙間なく並べられている。複数の抑制ブロック９を隙間なく並べることによって、押し寄せる波に対して、内周壁６の全周について隙間なく波を崩すので、内周壁６の全周についてもれなくスロッシングの成長を抑制することができる。
【００７７】
図２のように、燃料プール２が平面視において長方形を有する場合、各辺に抑制ブロック９を隙間なく並べることはもちろん、長方形の角においても隙間ができないように抑制ブロック９の長方形の辺方向（壁面７の面内水平方向）の長さを調整する。長さを調整できないときは、図２のように、長方形の長辺の抑制ブロック９の並びを延長して長方形の角を埋めてもよいし、長方形の短辺の抑制ブロック９の並びを延長して長方形の角を埋めてもよい。要は隙間なく角を埋められる構造であれば、どのように抑制ブロック９や抑制板１０を構成してもよい。
【００７８】
また図４に示す実施形態では、各抑制ブロック９の複数の抑制板１０は、上下方向に異なる間隔で並べられている。加えて、図４に示すように、複数の抑制ブロック９は、それぞれの中央高さがずれるように配置されている。複数の抑制板１０に注目すると、互いの高さ位置が異なる複数の抑制板１０が、壁面７の面内水平方向にずれるように壁面７から突出した構成となっている。したがって、壁面７に向かって、壁面７の面内水平方向にそろった位相で押し寄せる波に対して、複数の抑制板１０はそれぞれ異なる高さで波と衝突することで、位相を崩す（ずらす）ので、スロッシングを抑制できる。
【００７９】
本実施形態では、複数の抑制ブロック９を、それぞれの中央高さがずれるように配置しているが、互いの高さ位置が異なる複数の抑制板１０が、壁面７の面内水平方向にずれるように配置されるならどのような配置でもよい。
【００８０】
変形例として、高さ位置及び壁面７の面内水平方向の位置が異なるように抑制板１０を個別に壁面７にとりつけて、互いの高さ位置が異なる複数の抑制板１０が面内水平方向にずれるように配置してもよい。
【００８１】
さらに、別の変形例として、複数の抑制ブロック９同士で、複数の抑制板１０の間隔が異なるように配置し、複数の抑制ブロック９を壁面７の面内水平方向に、複数の抑制ブロック９それぞれ中央高さを揃えて（又は中央高さがずれるように）並べることによって、互いの高さ位置が異なる複数の抑制板１０を、壁面７の面内水平方向にずれるように配置してもよい。
【００８２】
本実施形態では、燃料プール２の内周壁６に抑制ブロック９を設置して、複数の抑制板１０を壁面７から突出させているが、変形例として、抑制ブロック９を用いずに、壁面７に複数の抑制板１０を一枚一枚取り付けてもよいし、別の変形例として、壁面７自身を凹凸加工し、壁面７に複数の抑制板１０を直接作りこんでもよい。
【００８３】
図５には、高さ方向に関する、抑制板１０の設置有効範囲１３の一実施形態を示す。燃料プール２内において、図５のような水平面を形成する水面１２は、スロッシングが発生し、成長すると、燃料プール２から漏洩する高さ、すなわち燃料プール２の端の高さに至る。この時の水平面を形成する水面１２の高さから、燃料プール２から漏洩する高さまでの差を片振幅とした上下の範囲を、複数の抑制板１０の設置有効範囲１３とする。
【００８４】
設置有効範囲１３に複数の抑制板１０を設けることによって、燃料プール２の端において、複数の抑制板１０が、床面の高さから突出せず、燃料の出し入れの邪魔にならない構造とすることができる。また、設置有効範囲１３に複数の抑制板１０を設けることによって、波の上下方向の振幅に対応する上下の範囲すべてにわたって複数の抑制板１０が設定されることになるから、与えられた設定範囲を有効に利用してスロッシングを抑制することができる。
【００８５】
以上のような複数の抑制板１０を燃料プール２の水面１２に配置することで、抑制板１０は、周期的に発生するスロッシングの波の乱れを引き起こすように作用する。そして、波の乱れによってスロッシングの固有周期や、抑制板１０に当たる水面１２に揺動のタイミングを変えることができるので、スロッシングのエネルギーが消散されて、波高の成長を防止するという効果が期待できる。
【００８６】
本実施形態のスロッシング対策装置３は、複数の抑制板１０を利用して、スロッシングのエネルギー消散し、波高の成長を防止しているから、特許文献１の移動壁のように人力や電力等といった外力を必要とせず、電力や人力を期待できない地震発生時においても機能する。
【００８７】
また、本実施形態のスロッシング対策装置３は、複数の抑制板１０を利用して、複数の抑制板の形状、段数、段幅を調整することで、燃料プール２の大きさや形に応じたスロッシング対策構造を選択することができる。
【００８８】
「第二実施形態」
本発明に係るスロッシング対策装置及びこれを備える貯液槽の第二実施形態について、図６〜図１４を参照して説明する。
【００８９】
本実施形態の貯液槽１も燃料プール２である。図６に示すように燃料プール２では、燃料プール２の縁にスロッシング対策装置３を備えている。燃料プール２内には、第一実施形態と同様に、水４が貯留されており、図２に示すような、使用済み燃料が収容された燃料ラック５が水中で貯蔵されている。
【００９０】
スロッシング対策装置３は、図６及び図７に示すように、浮体からなる防波ブロック１４及びスライド機構１５を備えている。防波ブロック１４及びスライド機構１５は、燃料プール２の内周壁６の壁面７に設けられている。なお、図７は、内周壁６側から燃料プール２側を見た図であって、内周壁６を透視したときの防波ブロック１４及びスライド機構１５の構造を示した図である。
【００９１】
スライド機構１５は、防波ブロック１４を上下に対して移動自在にガイドしている。スライド機構１５にガイドされた防波ブロック１４は、水４に対して一部が水面上に浮かぶ浮体、すなわち自重よりも浮力が大きくなる部材からなる。浮体で構成された防波ブロック１４は、水面１２の上昇下降と共に、一部が水面上に浮かぶように、上下に移動する。一方、防波ブロック１４は、燃料プール２側に防波面１６を有し、防波面１６で波を押し返す構造となっている。
【００９２】
スロッシング対策装置３は、防波ブロック１４及びスライド機構１５を有することによって、燃料プール２内においてスロッシングが発生した場合、浮体からなる防波ブロック１４は、スロッシングに追従して上下する。そして、スロッシングにより水面１２が、燃料プール２の縁の床面１７を超えると、防波ブロック１４の上端は床面１７より上方に突出する。突出した防波面１６は、燃料プール２の外へ溢れだそうとする水４を押し返すように作用し、水４が燃料プール２の外へ漏れることを防止する。
【００９３】
本実施形態において、防波ブロック１４の下端部は、水面１２下にあり、防波ブロック１４は、壁面７に直接又はスライド機構１５を介して支えられているから、特許文献１のような起立壁を設ける必要がない。しかも本実施形態では、防波ブロック１４を安定した壁面７で支える構造であるから、特許文献１の床面に片持ちで起立される起立壁のように、移動壁を支える部材が片持ちとなることがなく、スロッシングに対する強度をより高く保つことができる。さらに、水面１２下方向の防波ブロック１４の上下方向の長さを十分確保しておけば、予想を超えるスロッシングに対しても漏水を防止することができる。
【００９４】
防波ブロック１４の上端は、水面１２から距離を設けておく。設ける距離が長いほど、防波ブロック１４の応答時間を稼ぐことができるから、スロッシングの水面１２の急な上昇に対応することができる。
【００９５】
防波ブロック１４の浮き上がり長さは、以下の計算によって求めることができる。
防波ブロック１４の浮いているとき、防波ブロック１４の浮力と重力は釣り合っているから、下記式（１）で表すことができる。
【００９６】
【数１】
2017047957.tif 000003
【００９７】
ここで、msは防波ブロック１４の質量、gは重力加速度、ρw：は水密度、V：水没する防波ブロック１４の体積である。
【００９８】
このとき、水面より浮きが上がっている防波ブロック１４の長さLuは、下記式（２）で表すことができる。
【００９９】
【数２】
2017047957.tif 000004
【０１００】
ここで、Ltotalは防波ブロック１４の全長（高さ）、Aはブロック断面積を表す。
【０１０１】
本実施形態のスロッシング対策装置３は、浮力を利用して、防波ブロック１４が上下するから、特許文献１の移動壁のように人力や電力等といった外力を必要とせず、電力や人力を期待できない地震発生時においても機能する。
【０１０２】
防波ブロック１４の内部に、図８に示すように、リブ１８とリブ１８によって区画された空洞１９とを備えるリブ構造２０を設けてもよい。リブ構造２０を採用することで、防波ブロック１４の強度を持たせつつ、浮力を増やすことができる。なお、図８は図７のＡ−Ａ断面における防波ブロック１４の断面図を示す。変形例として、図９に示すように、防波ブロック１４の燃料プール２側の面を多孔質構造２１としてもよい。内周壁６に押し寄せる波が、防波ブロック１４に衝突すると共に、多孔質構造２１内に入り込んで吸収され、波が崩されることとなる。なお、図９は図７のＡ−Ａ断面における防波ブロック１４の断面図を示す。
【０１０３】
さらなる変形例として、図８に示すように、リブ構造２０のうち、防波ブロック１４の燃料プール２側の面の一部の空洞１９に開口２２を設けてもよい。さらには、防波ブロック１４の燃料プール２側の面に多孔板を設けてもよい。多孔質構造２１と同様に、内周壁６に押し寄せる波が、防波ブロック１４に衝突すると共に、開口２２や多孔板の孔からリブ構造２０内に入り込んで吸収され、波が崩されることとなる。
【０１０４】
また、図６（ａ）、（ｂ）及び図１０（ａ）に示すように、防波ブロック１４の上端を燃料プール２側へ突出させた突出部２３を設けてもよい。突出部２３を設けることによって、突出部２３の下面によって、防波ブロック１４を超える波を崩すことが可能となる。
【０１０５】
スライド機構１５は、一例として、図７及び図１０（ａ）、（ｂ）に示すようにリニアガイドで構成される。防波ブロック１４は、図７、図１０（ｂ）に示すように、スライド機構１５によって上下方向に移動自在に保持される。防波ブロック１４とスライド機構１５とは、嵌合構造によって嵌合されている。なお、図１０（ｂ）は図１０（ａ）のＢ−Ｂ断面図を示す。
【０１０６】
図１１に示すように、スロッシング対策装置３は、複数の防波ブロック１４を備える。複数の防波ブロック１４は、内周壁６の全周で隙間なく並ぶように配置されている。内周壁６に複数の防波ブロック１４を隙間なく並べることによって、複数の防波ブロック１４は、押し寄せる波に対して、隙間なく波を押し返すので、内周壁６の全周について漏水を防止することができる。
【０１０７】
内周壁６の全周にスロッシング対策装置３を設ける場合、内周壁６の全周を一体構造の防波ブロック１４としてもよいが、防波ブロック１４が大型である場合、分割した複数の防波ブロック１４を並べる方が施工上便利である。なお、図１１は、内周壁６側から燃料プール２側を見た図であって、内周壁６を透視したときの防波ブロック１４及びスライド機構１５の構造を示した図である。
【０１０８】
複数の防波ブロック１４は、隣り合う防波ブロック１４の対向部を、図１２（ａ）のような嵌合構造として連結したり、図１２（ｂ）のように連結せず平面同士を合わせた構造としたりすることによって、スロッシングによる漏水を防ぐことができる。さらに複数の防波ブロック１４は、隣り合う防波ブロック１４間の対向部を、図１２（ｃ）のような複雑な嵌合構造で連結することで、さらに漏水を防ぐことができる。
【０１０９】
複数の防波ブロック１４のうち、隣り合う防波ブロック１４同士を図１１に示すように、互いにチェーン２４を連結部材として連結し、相対差が大きくならないように規制してもよい。チェーン２４で連結することによって、隣同士の防波ブロック１４の上下方向に位置の差が大きくなりすぎないから、浮上した防波ブロック１４に対して、隣の防波ブロック１４も連れられて上昇する。したがって、浮上する防波ブロック１４に衝突した波が、防波ブロック１４の脇へ回り込んだとしても、連れられて上昇する隣の防波ブロック１４が、回り込んだ波を遮蔽することによって、回り込んだ波が燃料プール２から漏れだすことを防ぐことができる。
【０１１０】
また、変形例として、燃料プール２が平面視において長方形である場合、図１３に示すように、防波ブロック１４として、長方形の各辺２５に対して、一枚の板面を配置する構成としてもよい。一枚の板面を配置することで、防波ブロック１４は、加工しやすい形状としながら、漏れるおそれのある隙間を極力少なくすることができる。長方形の角は、図１３のように、長方形の長辺に配置した防波ブロック１４の防波面１６を、壁面７の水平方向長さを延長して長方形の角を埋めてもよいし、長方形の短辺に配置した防波ブロック１４の板面を延長して長方形の角を埋めてもよい。
【０１１１】
本実施形態の防波ブロック１４は、鉛直面を有する内周壁６に設けているので、スロッシングによって発生し、内周壁６に押し寄せる波に対して、鉛直方向に防波ブロック１４が浮上して波を押し返すので、より効果的に外部への漏水を防止できる。
【０１１２】
本実施形態では防波面１６は鉛直面に平行に構成されているが、変形例として、防波面１６が斜め下を向くように構成してもよい。防波面１６によって波を押し返すと同時に、斜め下を向いた防波面１６によって波を崩す、すなわち、漏水を防止しつつスロッシングを抑制しすることができる。また、内周壁６に向かう波が斜め下を向いた防波面１６に衝突したときの反作用によって、防波ブロック１４は、上に向かう力を受けて浮上しやすくなるので、水面１２の上昇に追従しやすくなる。
【０１１３】
別の変形例として、図１４に示すように、対向する板面からなる防波ブロック１４を、下向きに傾斜した内周壁６に設けることもできる。下向きに傾斜した内周壁６に設けると、防波ブロック１４は、スライド機構１５に沿って、上昇しつつ燃料プール２内の領域へ飛び出す。本変形例では、内周壁６に押し寄せる波に対して、防波ブロック１４は、上昇しつつ、防波面１６を斜め下に向けながら燃料プール２内の領域へ飛び出す。したがって、防波面１６によって波を押し返すと同時に、斜め下を向いた防波面１６によって波を崩す、すなわち、漏水を防止しつつスロッシングを抑制しすることができる。また、内周壁６に向かう波が斜め下を向いた防波面１６に衝突したときの反作用によって、防波ブロック１４は、上に向かう力を受けて浮上しやすくなるので、水面１２の上昇に追従しやすくなる。
【０１１４】
本実施形態のスロッシング対策装置３は、防波ブロック１４を、燃料プール２に配置することで、防波ブロック１４は、スロッシングによる水面４の上昇に追随して上昇して波を押し返すから、予想を超えるスロッシングに対しても漏水を防止することができる。
【０１１５】
また、本実施形態のスロッシング対策装置３は、防波ブロック１４の浮力を利用して防波ブロック１４を上下するから、電力や人力を期待できない地震発生時においても漏水を防止することができる。
【０１１６】
さらに、本実施形態のスロッシング対策装置３は、防波ブロック１４が内周壁６の壁面７に沿う機構であり、通常は燃料プール２内に収容されているため、燃料の出し入れの邪魔にならないという効果もある。
【０１１７】
「第三実施形態」
本発明に係るスロッシング対策装置及びこれを備える貯液槽の第三実施形態について、図１５〜図１８を参照して説明する。
【０１１８】
本実施形態の貯液槽１も燃料プール２である。図１５に示すように燃料プール２の縁にスロッシング対策装置３を備えている。燃料プール２内には、第一実施形態と同様に、水４が貯留されており、図２に示すような、使用済み燃料が収容された燃料ラック５が水中で貯蔵されている。
【０１１９】
スロッシング対策装置３は、図１５に示すように、燃料プール２の縁に起立するスロッシング防止板２６及びヒンジ２７を備えている。スロッシング防止板２６及びヒンジ２７は、燃料プール２の内周壁６の壁面７に設けられている。ヒンジ２７は、スロッシング防止板２６の下辺を回転軸３３で回動支持している。ヒンジ２７は、回転軸３３の回動によって、スロッシング防止板２６の一対の板面が上下方向を向くように、燃料プール２内の水面１２上へスロッシング防止板２６が倒れることを許容している。
【０１２０】
ヒンジ２７には、回転ばね２８が設けられている。回転軸３３には、スロッシング防止板２６の倒れによる回動に対応する回転モーメント（以下、「転倒回転モーメント」という。）が発生する。これに対し、回転ばね２８は、転倒回転モーメントとは逆方向の回転モーメント、すなわち、スロッシング防止板２６の倒れを引き戻す回転モーメント（以下、「引き戻し回転モーメント」という。）を与える。本実施形態では回転ばね２８を用いているが、回転角に対して比例する復元力のある機構であれば、どのような機構でもよい。
【０１２１】
スロッシング対策装置３は、複数のスロッシング防止板２６を備える。複数のスロッシング防止板２６は、内周壁６の全周に配置されている。
【０１２２】
変形例として、図１６に示すように並進ばね２９と固定部３０とを設けて、引き戻し回転モーメントを与えてもよい。並進ばね２９を用いる場合、図１６に示すように、少なくとも並進ばね２９を燃料プール２の縁の床面１７に設ける方が、構造上、スロッシング防止板２６を垂直に起立させやすい。
【０１２３】
また、並進ばね２９を用いる場合、図１６に示すように、起立したスロッシング防止板２６の並進ばね２９側の板面２６ａに対し、対応する第一ストッパ面３１ａを有する第一ストッパ機構３１を設ける。第一ストッパ機構３１は、起立したスロッシング防止板２６が並進ばね２９側へ倒れ始めると、板面２６ａと当接するため、並進ばね２９による引き戻し回転モーメントが強くても、第一ストッパ機構３１は、スロッシング防止板２６が床面側へ倒れることを制限する。なお、第一ストッパ機構３１は、並進ばね２９の並進移動の邪魔にならないように、並進ばね２９が自由に挿通できるように第一ストッパ機構３１に切欠又は開口を設けておく。さらなる変形例として、固定部３０と第一ストッパ機構３１とを別々に設けず、固定部３０と第一ストッパ機構３１とを兼ねた機構を設けることとしてもよい。もちろん、図１６の変形例において、並進ばね２９に代えて回転ばね２８を設けることによって引き戻し回転モーメントを与えてもよい。
【０１２４】
さらに、第一ストッパ機構３１を設けることによって、スロッシング防止板２６に対して、回転ばね２８や並進ばね２９によって、燃料プール２の外側に向かって、プリテンションをかけることができるので、小さい地震では、燃料プール２側に倒れないように調整することができる。なお、図１５の第三実施形態においても、第一ストッパ機構３１の代わりに、内周壁６の壁面７が、スロッシング防止板２６の床面側へ倒れを制限する機構として作用するので、同様に、スロッシング防止板２６に対して、燃料プール２の外側に向かってプリテンションをかけることができる。さらに、図１５に示す二点鎖線の第一ストッパ機構３１のように、図１５の第三実施形態において、第一ストッパ機構３１を別途設けてもよい。
【０１２５】
また、図１６の変形例において、並進ばね２９は、スロッシング防止板２６に直接つないでもよいが、屈曲自在な紐やワイヤ等と滑車や支点等とを介して並進ばね２９をスロッシング防止板２６に繋いでもよい。屈曲自在な紐やワイヤ等と滑車や支点等を用いれば、並進ばね２９と燃料プール２の縁とが機械的に干渉することなく、並進ばね２９の張力に基づく引き戻し回転モーメントを、スロッシング防止板２６に有効に作用させることができる。
【０１２６】
スロッシング防止板２６が燃料プール２側へ回動する場合、スロッシング防止板２６の一対の板面が上下方向を向いた状態で回動を制限する第二ストッパ機構３２を設ける。第二ストッパ機構３２は、上下方向と交差する第二ストッパ面３２ａを有する。
【０１２７】
スロッシング防止板２６の一対の板面が上下方向を向いたときに、スロッシング防止板２６の下面、すなわち板面２６ａに対向する対向板面２６ｂが、第二ストッパ面３２ａに当接することによって、第二ストッパ機構３２は、スロッシング防止板２６の一対の板面が上下方向を向いた状態で回動が止まるように、回動を制限する。そして、スロッシング防止板２６の一対の板面が上下方向を向くことで、上下方向の振幅を有する波に対して、スロッシング防止板が有効に波を崩しつつ蓋として機能するので、効率よくスロッシングを抑制できる。
【０１２８】
変形例として、スロッシング防止板２６を水４に対して一部が水面１２上に浮かぶ浮体、すなわち自重よりも浮力が大きくなる部材で構成してもよい。スロッシング防止板２６を浮体で構成することによって、スロッシング防止板２６の一対の板面が上下方向を向いた状態で浮力が働いて回動が止まるから、第二ストッパ機構３２と同様に、スロッシング防止板２６の一対の板面が上下方向を向いた状態で回動が止まるように、スロッシング防止板２６の回動を制限することができる。
【０１２９】
本実施形態のスロッシング対策装置３の動作について説明する。地震が発生すると、スロッシングが発生し、水面１２に波が発生する。それと同時に、起立したスロッシング防止板２６は、回転軸３３の周りで回転振動する。ある程度の振幅を超えると、後で説明するように、転倒回転モーメントが引き戻し回転モーメントより大きくなり、スロッシング防止板２６は、燃料プール２の水面１２に倒れる。燃料プール２の水面１２に倒れたスロッシング防止板２６は、第二ストッパ機構３２で回動が止まり、スロッシング防止板２６の一対の板面が上下方向を向いた状態で保持される。
【０１３０】
本実施形態のスロッシング対策装置３は、主に長周期の大地震向けに適したスロッシング対策構造であって、長周期の大地震が起きた時に、スロッシング防止板２６が水面１２に一気に倒れることで、燃料プール２に対して完全且つ瞬時に蓋をすることができる。
【０１３１】
図１５の点線で示すスロッシング防止板２６のように、一対の板面が上下方向を向いたスロッシング防止板２６は、水面１２に発生する波を崩し、周期的に発生するスロッシングの波の乱れを引き起こすように作用する。そして、この乱れによってスロッシングの固有周期や、スロッシング防止板２６に当たる水面１２に揺動のタイミングを変えることができるので、スロッシングのエネルギーが消散されて、波高の成長を防止するという効果が期待できる。
【０１３２】
本実施形態のスロッシング対策装置３は、転倒による（自重による）回転モーメント及び弾性部材による引き戻し回転モーメントを利用して、スロッシング防止板２６が地震時に転倒するから、特許文献１の移動壁のように人力や電力等といった外力を必要とせず、電力や人力を期待できない地震発生時においても機能する。
【０１３３】
転倒回転モーメントが引き戻し回転モーメントより大きくなる原理について説明する。
【０１３４】
スロッシング防止板２６の回動振動の固有振動数fbは、下記式（３）で表すことができる。
【０１３５】
【数３】
2017047957.tif 000005
【０１３６】
ここで、yは回転軸３３とスロッシング防止板２６の中心との距離、gは重力加速度、mはスロッシング防止板２６の質量、KΦは回転ばね２８のバネ定数、Iはスロッシング防止板２６の回転慣性モーメントを示す。
スロッシングの固有振動数fs（n次）は、下記式（４）で表すことができる。
【０１３７】
【数４】
2017047957.tif 000006
【０１３８】
ここで、Lは燃料プール２内壁間の幅、Hは水４の深さを示す。
【０１３９】
スロッシングの主のモードとなる1次モード（n＝１）における固有振動数とスロッシング防止板２６の回動振動の固有振動数を極力近づけることで、スロッシングが大きく生じたときにスロッシング防止板２６の応答も大きくなり、スロッシング防止板２６が倒れることでスロッシングを防止する。
【０１４０】
地震時に生じたスロッシング防止板２６の回転角をθとし、回転ばね２８を予めθiniだけ変位させてプリテンションをかけておくとすると、スロッシング防止板２６の転倒回転モーメントは、m・g・y・sinθである。一方、（回転ばね２８によるスロッシング防止板２６の転倒を引き戻す）引き戻し回転モーメントは、Kφ・（θ+θini）である。したがって、回転角θが大きくなるほど、転倒回転モーメントはsinθに比例して大きくなり、引き戻し回転モーメントはθに比例して大きくなる。
【０１４１】
このような回転角に対する転倒回転モーメント及び引き戻し回転モーメントの関係は、図１７のグラフのように表すことができる。図１７において、回転角が大きい領域で回転モーメントが最も高くなる右上がりの実線３４が転倒回転モーメントを示し、右上がりの点線３５が回転ばね２８の引き戻し回転モーメントを示す。回転角が小さいときは、転倒回転モーメントは引き戻し回転モーメントより小さい。このときスロッシング防止板２６は転倒しない。回転角が大きくなるに従い、転倒回転モーメントは、引き戻し回転モーメントに近づき、ついには引き戻し回転モーメントを大きく上回る。そして、転倒回転モーメントが引き戻し回転モーメントを上回ると、スロッシング防止板２６は燃料プール２側へ転倒することとなる。
【０１４２】
並進ばね２９の場合においても、回転角に対する転倒回転モーメント及び引き戻し回転モーメントの関係は、図１７のグラフに示すような関係となり、同じく転倒回転モーメントが引き戻し回転モーメントを上回ると、スロッシング防止板２６は転倒することとなる。
【０１４３】
本実施形態のスロッシング対策装置３は、スロッシングが発生する時だけ倒れて蓋として機能する。地震時において、スロッシング防止板２６は、図１８（ａ）及び（ｂ）に示すように、回動振動が発生する。発生する回動振動の固有周期（固有振動数）は、引き戻し回転モーメントを与えるばねの剛性と転倒回転モーメントを与える板の質量に依存するから、スロッシング防止板２６の回動振動の固有周期が、スロッシング周期と合うようにバネの剛性を調整すれば、スロッシングが大きくなるときだけ、スロッシング防止板２６を倒すことができる。
【０１４４】
加えて、燃料プール２の外側に倒れない構造でありながら、燃料プール２の外側に向かってプリテンションをかけているので、小さい地震であればプール側に倒れない（図１８（ｂ））。一方、スロッシングが問題となる大地震のときにスロッシング防止板２６が水面に倒れる（図１８（ａ））ため、スロッシング防止板２６は、普段はプール作業を妨げず、スロッシングが発生したときだけ蓋として機能し、スロッシングを抑制する。
【０１４５】
また、本実施形態のスロッシング対策装置３は、ばね機構により回転方向の固有振動数を調整することによって、長周期の大地震にのみ機能して、スロッシングが増幅しない地震に対しては機能しない構造とすることができる。
【０１４６】
さらに、本実施形態のスロッシング対策装置３は、スロッシング防止板２６は起立しているので、燃料プール２の燃料の出し入れに邪魔になりにくいという点でも優れている。
【０１４７】
「第四実施形態」
本発明に係るスロッシング対策装置及びこれを備える貯液槽の第四実施形態について、図１９〜図２２を参照して説明する。
【０１４８】
本実施形態の貯液槽１も燃料プール２であって、図１９に示すように、燃料プール２内にスロッシング対策装置３を備えている。燃料プール２内には、第一実施形態と同様に、水４が貯留されており、図２に示すような、使用済み燃料が収容された燃料ラック５が水中で貯蔵されている。
【０１４９】
スロッシング対策装置３は、図１９に示すように、抑制板３７、腕部３８及び回動支持部３９を備えている。図２０に示すように、抑制板３７、腕部３８及び回動支持部３９は、燃料ラック５の出し入れ（装荷）の邪魔にならないように、複数の燃料ラック５の隙間にそれぞれ設けられている。
【０１５０】
本実施形態において腕部３８は棒形状を有しているが、一端と他端を有する形状であればどのような形状でもよい。腕部３８の一端は、抑制板３７の板面に交差するように、抑制板３７に固定されている。本実施形態では、抑制板３７の板面に対して腕部３８が直交して伸びるように、腕部３８の一端が、抑制板３７の板面の中心に固定されている。腕部３８の他端は、燃料プール２内で回動支持部３９に回動可能に支持されている。
【０１５１】
図１９及び図２０に示すように、回動支持部３９の一端は、腕部３８の他端を支持し、回動支持部３９の他端は、燃料プール２の底面に固定されている。
【０１５２】
本実施形態において抑制板３７は、水４に対して一部が水面上に浮かぶ浮体、すなわち自重よりも浮力が大きくなる部材で構成されている。抑制板３７は、水面１２に一対の板面が上下方向を向くように設けられており、腕部３８及び回動支持部３９と共に、倒立振り子４０を形成している。
【０１５３】
ここで倒立振り子４０がスロッシングを抑制する作用について説明する。抑制板３７は、地震がなく、水４に波や流れがないときは、安定した位置で静止している。しかし、地震や他の要因で水４に波や流れが生じると、抑制板３７の水平面内で位置が変位する。抑制板３７の水平面内で位置が変位すると、腕部３８の他端を支点とし、抑制板３７の浮力に基づく復元力によって、倒立振り子４０は、固有振動数で振動する。この倒立振り子４０の固有振動数を、燃料プール２の大きさなどで決まるスロッシングの固有振動数と乖離させれば、抑制板３７の板面によって、スロッシングのエネルギーを消散し、波高の成長を防止するという効果が期待できる。
【０１５４】
倒立振り子４０に復元力を作用させる構成は、抑制板３７を浮体で構成すること以外の構成を用いてもよい。変形例として、腕部３８の他端を回動可能に支持する回動支持部３９に、回動を引き戻すように回転ばねや並進ばねや板ばね等（回転剛性）を設けて、復元力を作用させてもよい。また他の変形例として、腕部３８自身を弾性部材で構成したり、腕部３８の一端と他端の間に弾性機構を設けたりして、復元力を作用させてもよい。これら変形例は、抑制板３７を浮体で構成することに代えて設けてもよいし、抑制板３７を浮体で構成することに加えて設けてもよい。また、弾性部材又は弾性機構を倒立振り子４０に設けているから、弾性部材又は弾性機構の復元力を調整することで、倒立振り子４０の固有振動数を調整できる。
【０１５５】
本実施形態では、図１９及び図２０に示すように、燃料プール２の中央に複数の抑制板３７を設けているが、変形例として、図２１に示すように、抑制板３７を燃料プール２の壁面７の内周に設ければ、燃料プール２での作業を妨げず、より装荷性が高くなる。抑制板３７を壁面７の内周に設ける場合、回動支持部３９の他端は、燃料プール２の底面に固定されてもよいし、燃料プール２の内周壁６に固定されてもよい。また、図２１に示すように、内周壁６の全周について抑制板３７を設けることによって、抑制板３７によって燃料プール２における作業が妨げられることなく、内周壁６でもれなくスロッシングの成長を抑制することができる。
【０１５６】
本変形例では、回動支持部３９は、腕部３８の他端を、壁面７に直交する鉛直平面内で回動している。ここで、回動支持部３９は、腕部３８の他端を、壁面７の面内水平方向に交差する面内で回動させるものであれば、少なくともスロッシングを抑制できる。しかし、本変形例のように腕部３８の他端を、壁面７に直交する鉛直面内で回動させれば、壁面７に押し寄せる波をより効率的に崩すことができる。
【０１５７】
本変形例において腕部３８の他端と回動支持部３９とは、壁面７の面内水平方向に平行な軸を回転軸として結合しているが、ナックルジョイントを用いて任意の鉛直面内において回動可能に結合してもよい。ナックルジョイントを用いれば、任意の水平方向の揺れや波に対し万能に作用する。
【０１５８】
倒立振り子がスロッシングを抑制する条件について説明する。
【０１５９】
倒立振り子の固有振動数fpは、式（５）によって示される。
【０１６０】
【数５】
2017047957.tif 000007
【０１６１】
ここで、Kφは回転剛性、mは抑制板３７の質量、g*は重力加速度（抑制板３７の浮力を考慮した見かけ上の重力加速度）、yは回転軸から抑制板３７の中心までの距離、Iは抑制板３７の回転慣性モーメントを示す。
【０１６２】
ただし、抑制板３７の浮力を大きくし、自重より浮力の方が大きくなった場合は倒立振り子ではなく、通常の振り子として扱え、回転剛性の機構も不要となる。その時の振り子の固有振動数fpは次式（６）となる。
【０１６３】
【数６】
2017047957.tif 000008
【０１６４】
一方、スロッシングの固有振動数fs（n次）は、式（７）によって示される。
【０１６５】
【数７】
2017047957.tif 000009
【０１６６】
ここで、Lは燃料プール２内壁間の幅、Hは水４の深さを示す。
【０１６７】
上記抑制板３７の固有振動数とスロッシングの固有振動数とを乖離させる（スロッシングの応答に対して逆相にする）ことで、抑制板３７の振動がスロッシングを抑制できる。
【０１６８】
加振振動数及び振り子振動数に対する応答倍率と位相は、図２２のグラフのように表すことができる。図２２（ａ）及び図２２（ｂ）の横軸は、加振振動数／振り子の固有振動数を示し、図２２（ａ）及び図２２（ｂ）で位置、スケールを揃えている。図２２（ａ）の縦軸は振り子の応答特性として応答倍率、図２２（ｂ）の横軸は位相を示す。応答倍率がピークとなる位置は、加振振動数と振り子の固有振動数が一致する点であり、位相が正から負へ反転している。このように加振振動数と振り子の固有振動数を一致させない、すなわちスロッシングの固有振動数と倒立振り子の固有振動数をずらすことによって、スロッシングに対して倒立振り子を応答させないように振動させることができ、スロッシングに対して振り子振動の位相をずらすことができ、スロッシングを減衰させることができる。
【０１６９】
本実施形態のスロッシング対策装置３は、浮力や弾性部材を利用した倒立振り子４０によって、スロッシングを減衰させるから、特許文献１の移動壁のように人力や電力等といった外力を必要とせず、電力や人力を期待できない地震発生時においても機能する。
【０１７０】
また、本実施形態のスロッシング対策装置３は、複数の燃料ラック５の隙間にそれぞれ設けられているので、燃料ラック５の出し入れの邪魔にならず、燃料装荷性にも影響がない。
【０１７１】
以上、本発明の実施の形態について図面を参照して詳述したが、具体的な構成はこの実施の形態に限られるものではなく、本発明の要旨を逸脱しない範囲の設計変更等も含まれる。例えば、リブ構造２０や多孔質構造２１は、抑制板１０、スロッシング防止板２６、抑制板３７にいずれにも適用することができる。
【０１７２】
また以上説明したスロッシング対策装置３は、水４を貯留した燃料プール２のスロッシング対策装置であるが、水４を貯留した燃料プール２に限らず、様々な液体を貯留した貯液槽におけるスロッシング対策に適用することができる。
【符号の説明】
【０１７３】
１： 貯液槽、２：燃料プール、３:スロッシング対策装置、４：水、５：燃料ラック、６：内周壁、７：壁面、８：フック、９：抑制ブロック、１０：抑制板、１１：仕切り板、１２：水面、１３：設置有効範囲、１４：防波ブロック、１５：スライド機構、１６：防波面、１７：床面、１８：リブ、１９：空洞、２０：リブ構造、２１：多孔質構造、２２：開口：２３：突出部、２４：チェーン、２５：辺、２６：スロッシング防止板、２６ａ：板面、２６ｂ：対向板面、２７：ヒンジ、２８：回転ばね、２９：並進ばね、３０：固定部、３１：第一ストッパ機構、３１ａ：第一ストッパ面、３２：第二ストッパ機構、３２ａ：第二ストッパ面、３３：回転軸、３４：実線、３５：点線、３７：抑制板、３８：腕部、３９：回動支持部、４０：倒立振り子
【図１】
2017047957.tif 000010
【図２】
2017047957.tif 000011
【図３】
2017047957.tif 000012
【図４】
2017047957.tif 000013
【図５】
2017047957.tif 000014
【図６】
2017047957.tif 000015
【図７】
2017047957.tif 000016
【図８】
2017047957.tif 000017
【図９】
2017047957.tif 000018
【図１０】
2017047957.tif 000019
【図１１】
2017047957.tif 000020
【図１２】
2017047957.tif 000021
【図１３】
2017047957.tif 000022
【図１４】
2017047957.tif 000023
【図１５】
2017047957.tif 000024
【図１６】
2017047957.tif 000025
【図１７】
2017047957.tif 000026
【図１８】
2017047957.tif 000027
【図１９】
2017047957.tif 000028
【図２０】
2017047957.tif 000029
【図２１】
2017047957.tif 000030
【図２２】
2017047957.tif 000031